(57)【要約】      （修正有）【課題】飼育水の回復を含む水生生物の飼育環境の回復、改善のための作業が容易である水生生物用の水槽を提供する。【解決手段】水生生物用の水槽２は、本体容器４、本体容器４の内部に取り出し可能に配置されうる、通水性を有するソイル５６用のケース６と、このケース６を保持しうるスポンジ製の内枠１０と、水を濾過するためのフィルタ１２と、このフィルタ１２に接続されうる水循環装置１４とを備えており、内枠１０が、ケース６が嵌着しうる、上下に貫通した窓部２２を有している。【選択図】図１
0003175697.tif 000002
【実用新案登録請求の範囲】
【請求項１】
本体容器と、
この本体容器の内部に、取り出し可能に配置されうる、通水性を有するケースと、
上記本体容器の内部に配置されうるスポンジと
を備えている水生生物用の水槽。
【請求項２】
上記スポンジが、本体容器の内部に嵌着しうる外形と、上記ケースが嵌着しうる凹所、切り欠き又は貫通部とを有している請求項１に記載の水生生物用の水槽。
【請求項３】
上記本体容器の内部に配置されうるフィルタと、
このフィルタに接続されうる水循環装置とをさらに備えており、
上記ケースが、上記フィルタの上側に配置されうる請求項１又は２に記載の水生生物用の水槽。
【請求項４】
上記本体容器の内部に配置されうるフィルタと、
このフィルタに接続されうる水循環装置とをさらに備えており、
上記スポンジの凹所、切り欠き又は貫通部に嵌着し、且つ、上記フィルタの上側に配置された上記ケースの底面と、フィルタの上面又はスポンジの凹所の底面との間に、隙間が形成されている請求項２に記載の水生生物用の水槽。
【考案の詳細な説明】
【技術分野】
【０００１】
本考案は、水生生物用の水槽に関し、さらに詳しくは、主に、活魚、活甲殻類、両生類等の水生生物を飼うのに適した水生生物用の水槽に関する。
【背景技術】
【０００２】
従来、魚、甲殻類等の水生生物を長期間生存させるための一方法として、水槽が用いられている。このような水槽としては、特開２０１１−９２１５４公報、特開平９−２９４５０１号公報に開示されたものが知られている。一方、水槽には、砂利、ソイル等が敷き詰められているものもある。砂利、ソイル等は、バクテリアの巣として活用され、さらに、汚染物、ゴミ等を押さえ付けて水中に漂わなくさせるために用いられる。
【０００３】
水槽内部の水の中には、水生生物の排泄物、水草の枯葉、種々のゴミ等に起因する汚染物が、時間とともに増加していく。この汚染物は水生生物の生存にとって好ましくない。この汚染物を分解させるために、上記砂利、ソイル等には、バクテリアが付着させられる。
【０００４】
上記水槽には、フィルタが装着されることが多い。フィルタは、水中の汚濁物を濾し取るためのものである。フィルタは、水槽の側面に沿って立てかけられたり、水槽の底面に敷設されることもある。
【０００５】
図３には、フィルタ５４が底面に敷設された水槽５２が示されている。この場合、砂利、ソイル等（以下、ソイル５６で代表させる）は、このフィルタ５４の上面に敷き詰められる。このフィルタ５４は、通水用の多数のスリット５８が形成された合成樹脂製のケース６０と、このケース６０の中に充填された濾材６２とを有している。一般的に、フィルタ５４には、エアリフトパイプ６４、エアホース６６、エアポンプ６８等が取り付けられうる。エアリフトパイプ６４の下端６４ａはフィルタ５４の内部に連通している。フィルタ５４の内部、及び、エアリフトパイプ６４の内部には水Ｗが充満する。エアホース６６は、エアリフトパイプ６４の下端近傍とエアポンプ６８とを連通している。
【０００６】
上記エアポンプ６８は、エアホース６６を通して、空気をエアリフトパイプ６４の下部６４ａからその内部に送り込む。この空気は、エアリフトパイプ６４の内部を、水を押し上げながら上昇する。押し上げられた水Ｗは、エアリフトパイプ６４の上端の開口６４ｂから水槽５２内に送り込まれる。これにより、水Ｗは、ソイル５６及びフィルタ５４を通って水槽５２内を循環する。
【０００７】
水生生物の飼育環境の回復、改善に際しては、ソイル５６から水生生物の排泄物、水草の枯葉、種々のゴミ等を取り除く必要がある。このためには、ソイル５６を水槽５２から取り出す必要がある。この作業は厄介である。取り出されたソイル５６は、洗浄されて水槽５２内に戻される。この洗浄により、バクテリアは、死滅するか又はソイル５６には殆ど存在しなくなる。その結果、水槽５２内の水質汚染を招来するおそれがある。これでは、水生生物の飼育環境の回復、改善にはならない。
【先行技術文献】
【特許文献】
【０００８】
【特許文献１】特開２０１１−９２１５４公報
【特許文献２】特開平９−２９４５０１号公報
【考案の概要】
【考案が解決しようとする課題】
【０００９】
本考案は、上記現状に鑑みてなされたものであり、水生生物の飼育環境の回復、改善が容易な水生生物用の水槽を提供することを目的としている。
【課題を解決するための手段】
【００１０】
本考案に係る水生生物用の水槽は、
本体容器と、
この本体容器の内部に、取り出し可能に配置されうる、通水性を有するケースと、
上記本体容器の内部に配置されうるスポンジと
を備えている。
上記ケースには、砂利、ソイル、濾材等、任意の物質を収容することが可能である。
【００１１】
好ましくは、上記スポンジが、本体容器の内部に嵌着しうる外形と、上記ケースが嵌着しうる凹所、切り欠き又は貫通部とを有している。
【００１２】
好ましくは、上記本体容器の内部に配置されうるフィルタと、
このフィルタに接続されうる水循環装置とをさらに備えており、
上記ケースが、上記フィルタの上側に配置されうる。
【００１３】
好ましくは、上記本体容器の内部に配置されうるフィルタと、
このフィルタに接続されうる水循環装置とをさらに備えており、
上記スポンジの凹所、切り欠き又は貫通部に嵌着し、且つ、上記フィルタの上側に配置された上記ケースの底面と、フィルタの上面又はスポンジの凹所の底面との間に、隙間が形成されている。
【考案の効果】
【００１４】
本考案に係る水生生物用の水槽によれば、その内部の、水生生物の飼育環境の回復、改善が容易である。
【図面の簡単な説明】
【００１５】
【図１】図１は、本考案の一実施形態に係る水生生物用の水槽を示す断面図である。
【図２】図２は、図１の水生生物用の水槽内の構造物を示す組み立て前の斜視図である。
【図３】図３は、従来の水生生物用の水槽の一例を示す断面図である。
【考案を実施するための形態】
【００１６】
以下、適宜図面が参照されつつ、好ましい実施形態に基づいて本考案が詳細に説明される。
【００１７】
図１に示された水生生物用の水槽２は、本体容器４と、この本体容器４の内部に取り出し可能に配設されうる、通水性を有するソイル用ケース（以下、単にケースともいう）６と、スポンジから形成された外枠８及び内枠１０と、フィルタ１２と、このフィルタ１２に接続されうる水循環装置１４とを備えている。上記本体容器４としては、その内部を見ることができるように、一般的にはガラス製、アクリル樹脂製等の透明な容器が用いられる。しかし、これらには限定されない。また、本体容器４の形状も直方体には限定されない。円筒形でもよく、楕円筒形でもよく、四角筒以外の多角筒形でもよい。
【００１８】
上記ケース６には、通常は砂利、ソイル５６等が充填される。これらに濾材が混合されることもある。ケース６には任意の物が収容されうる。以下、ケース６への収容物をソイル５６で代表させる。ソイル５６には、バクテリアが付着させられている。ケース６は、本実施形態では、針金枠６ａと、この針金枠６ａに張り付けられた金網６ｂとから構成されている。しかし、針金枠６ａ及び金網６ｂには限定されず、例えば、合成樹脂製の網等から形成されてもよい。金網６ｂの網目の大きさは、ソイル５６の粒径等に応じて、ソイル５６ができるだけケース６外に漏れないように定められる。ケース６には、人が持ち上げるときに摘むための取手１６が取り付けられている。この取手１６は、ケース６の底面の中央部に、上方を向いて突設されている。取手１６の上端には摘み部１６ａが形成されている。この摘み部１６ａは、ケース６の上端よりわずかに上方に位置している。取手は、上記構成に限定されない。例えば、針金枠６ａのうちの、対向する一対の上端部分等に取り付けられてもよい。
【００１９】
このケース６には、図２に示されるように、ケース６の上端開口を閉止するための蓋１８が備えられている。蓋１８の中央部には、上記取手１６の摘み部１６ａが貫通して突出するための切り欠き１８ａが形成されている。この蓋１８は、ケース６を本体容器４から取り出すときにケース６に装着される。蓋１８は、ケース６内のソイルが、ケース６外に零れ出ることを防止するためのものである。この蓋１８は、通常は、ケース６が本体容器４内に設置されて使用されているときには、装着されない。
【００２０】
図１及び図２に示されるように、上記外枠８には、その中央部に、上下に貫通した嵌合用の窓部２０が形成されている。この窓部２０の平面視形状は、内枠１０の平面視形状、及び、フィルタ１２の平面視形状と略一致している。この窓部２０内の、下部に上記フィルタ１２が取り外し可能に嵌合され、その上部に内枠１０が取り外し可能に嵌合されている。内枠１０にも、その中央部に、上下に貫通した嵌合用の窓部２２が形成されている。この窓部２２の平面視形状は、上記ソイル用のケース６の平面視形状と略一致している。窓部２２には、このケース６が取り外し可能に嵌合されている。外枠８及び内枠１０を構成するスポンジは通水性を有する。このスポンジは、例えば、連続気泡を有する連続多孔質体である。外枠８及び内枠１０を構成するスポンジは、後述するフィルタ１２と同一の材料から形成されてもよい。
【００２１】
上記窓部２０、２２は、いずれも平面視で矩形を呈している。これは、内枠１０及びケース６が、いずれも平面視で矩形を呈しているからである。内枠１０及びケース６ともに、その平面視の形状は矩形には限定されない。従って、上記窓部２０、２２の平面視形状は、いずれも矩形に限定されず、内枠１０及びケース６それぞれの形状に応じて変更可能である。円形でも楕円形でも、矩形以外の多角形等でもよい。
【００２２】
本実施形態では、上記ケース６、外枠８及び内枠１０の各上面は略一致し、本体容器４の底面に平行な水平状となっているが、かかる形状には限定されない。例えば、上記各面が一致した状態で、水平面から傾斜していてもよい。いわば、ケース６、外枠８及び内枠１０の側面視が台形であってもよい。又は、外枠８及び内枠１０の側面視が台形であって、直方体のケース６が、傾斜した状態で窓部等に挿入されてもよい。
【００２３】
また、窓部２０、２２の形成位置は、とくに外枠８及び内枠１０それぞれの中央部には限定されない。中央からずれていてもよい。また、窓部に代えて、外枠８及び内枠１０それぞれの側部に、切り欠きが形成されてもよい。この場合、外枠８及び内枠１０はそれぞれ、平面視がＬ字状、コ字状等に形成されうる。
【００２４】
内枠１０の窓部２２の個数は一個には限定されず、複数個であってもよい。大型の容器本体に対しては、複数個のソイル用ケース６が装着される場合がある。この場合は、内枠１０に、ケース６の個数に応じた窓部２２が形成されるのが望ましい。
【００２５】
上記のとおり、本実施形態の水槽２には、外枠８と内枠１０とが備えられている。外枠８の存在により、水槽２の外部からはフィルタ１２と内枠１０との境界が見えない。また、外枠８と内枠１０とが異なる色彩にされた場合、水槽２内部を上から見たときに美しく感じられうる。これらにより、本水槽２は意匠的にも優れる。水槽は、外枠８及び内枠１０を有する構成には限定されない。外枠８が省かれ、図示の内枠１０及びフィルタ１２の各形状が拡大され、両者１０、１２の平面視形状が、本体容器４の内面の平面視形状と一致するようにされてもよい。
【００２６】
上記フィルタ１２はスポンジから形成されている。このスポンジは通水性を有する。このスポンジは、例えば、連続気泡を有する連続多孔質体からなる。このスポンジとして、例えばポリビニルアルコールを化学反応させて成形されたものが使用される。このスポンジの平均気孔径は約１５０μｍである。空孔率は約９０％である。これらの数値は例示である。このフィルタ１２は、水槽２の底面に載置されて使用されるので、底面フィルタ１２とも呼ぶ。このフィルタ１２はスポンジから形成されているので、上記外枠８の窓部２０の平面視形状に一致するように、スポンジ板から切り出すのは容易である。
【００２７】
フィルタとしては、この通水性スポンジからなる板状のものには限定されない。例えば、上記背景技術の欄において、図３を参照しつつ前述した、通水用スリットを有するケース５８内に濾材が充填されたフィルタ５４も採用されうる。この場合、上記外枠８の窓部２０の平面視形状を、このフィルタ５４の平面視形状に合わせるのが望ましい。また、フィルタは底面フィルタには限定されない。本体容器４の側壁内面に立てかけるタイプのものでもよい。この場合、上記外枠８及び内枠１０に代えて、フィルタに接し、本体容器４の内面に嵌着されうるスポンジ部材を設けるのが好ましい。
【００２８】
図１に示されるように、ソイル用のケース６は、その下面から下方に突出した脚部６ｃを有している。脚部６ｃは、針金枠６ａが屈曲されることにより形成されている。この脚部６ｃにより、ケース６の下面と、フィルタ１２の上面との間に、隙間２４が形成される。この隙間２４の存在により、フィルタ１２には、より多くのバクテリアが増殖しうる。この隙間２４により、飼育環境の回復、改善がより一層効果的になされる。かかる目的から、上記隙間２４に代えて又はこれとともに、ケース６の側面と、内枠１０の窓部２２の内側面との間に、他の隙間２６が形成されてもよい。上記隙間２４、２６は、約１ｍｍから約１０ｍｍ程度である。約１ｍｍから約５ｍｍ程度がより好ましい。
【００２９】
本実施形態では、内枠１０に、上下に貫通した窓部２２が形成されているが、かかる構成には限定されない。内枠１０に、窓部２２に代えて下方に向けて凹所が形成されてもよい。この場合、ケース６の下方（凹所の底部）には内枠１０のスポンジ部分が存在する。この凹所の底部は、スポンジ製フィルタ１２に代えて、図３に示されたフィルタ５４が採用される場合に有効である。上記凹所の底部のスポンジ部分が、図３のフィルタ５４にとって、ソイル５６の進入を防止するパッドの作用を奏しうるからである。
【００３０】
本実施形態では、内枠１０とフィルタ１２とが別体になっているが、かかる構成には限定されない。内枠１０とフィルタ１２とが、同一材料から一体に形成されてもよい。この場合、内枠１０の窓部２２に代えて、有底の凹所が形成されてもよい。
【００３１】
上記水循環装置１４は、エアリフトパイプ６４、エアホース６６及びエアポンプ６８を含んでいる。上記フィルタ１２の上面には、エアリフトパイプ６４の下端６４ａが挿入されうる連結穴２８が形成されている。上記内枠１０には、エアリフトパイプ６４及びエアホース６６が挿通されうる連結孔３０が形成されている。図２に示されるように、連結穴２８及び連結孔３０は、それぞれ複数個形成されている。水循環装置１４の位置変更を容易にするためである。使用されていない連結穴２８及び連結孔３０には、充填部材３２が挿入、嵌着される。この充填部材３２は、内枠１０及びフィルタ１２と同一のスポンジから形成されるのが好ましい。
【００３２】
水循環装置１４の上記部品６４、６６、６８の機能は、図３を参照しつつ前述されたので、ここでは説明が省略される。この水循環装置１４により、水Ｗは、ソイル５６及びフィルタ１２を通って本体容器４内を循環する。循環水の一部は外枠８及び内枠１０をも通過する。これにより、バクテリアは、フィルタ１２、外枠８及び内枠１０にも定着する。
【００３３】
水循環装置として、水中ポンプが用いられてもよい。水中ポンプの吸水口は、パイプによってフィルタに連結され、吐出口は本体容器４内の水中に開口する。この開口部にはデフューザが取り付けられてもよい。
【００３４】
上記底面フィルタ１２とともに、図示しない市販の外部フィルタが採用されてもよい。この外部フィルタの一例として、濾過槽と循環ポンプとが一体となったものがある。この濾過槽内には濾材が充填されている。この外部フィルタからは、取水パイプと給水パイプとが、本体容器４内に接続される。循環ポンプにより、本体容器４内の水Ｗが、取水パイプを通して濾過槽を通過させられ、給水パイプを通して本体容器４内に戻される。給水パイプの出口にはデフューザが取り付けられてもよい。
【００３５】
この水槽２では、水生生物の飼育環境の回復、改善に際しては、ソイル５６をケース６ごと取り出すことができる。ケース６の出し入れであるから、従来の水槽に較べて、底砂の掃除作業は大幅に軽減される。ソイル５６は、交換するか又はよく洗浄する。ケース６も洗浄してよい。こうすることにより、ソイル５６及びケース６には、バクテリアが殆ど存在しなくなる。しかし、本体容器４内の外枠８、内枠１０及びフィルタ１２にはバクテリアが付着して生存しているので、水質改良機能は損なわれない。飼育水のできあがりも大変速い。外枠８及び内枠１０の上面の残餌は、小さい場合はバクテリアが処理してくれる。大きければ除去すればよい。その後、外枠８、内枠１０及びフィルタ１２は、水槽内の飼育水Ｗによって洗浄することができる。以上のごとく、飼育水の回復を含む水生生物の飼育環境の回復、改善が、簡単な作業によって達成される。
【産業上の利用可能性】
【００３６】
本考案に係る水槽は、様々な水生生物の飼育、輸送等に適用可能である。
【符号の説明】
【００３７】
２・・・水槽
４・・・本体容器
６・・・（ソイル用）ケース
８・・・外枠
１０・・・内枠
１２・・・フィルタ
１４・・・水循環装置
１６・・・（ケースの）取手
１８・・・（ケースの）蓋
２０・・・（外枠の）窓部
２２・・・（内枠の）窓部
２４、２６・・・隙間
２８・・・連結穴
３０・・・連結孔
３２・・・充填部材
５６・・・ソイル
６４・・・エアリフトパイプ
６６・・・エアホース
６８・・・エアポンプ
Ｗ・・・水
【図１】
0003175697.tif 000003
【図２】
0003175697.tif 000004
【図３】
0003175697.tif 000005